(57)【要約】【課題】並列して同時に表示できる異なるコンテンツデータを迅速かつ簡潔に選択することが可能な情報処理装置、情報処理方法及びプログラムを提供すること。【解決手段】表示装置に表示される第１のコンテンツデータ及び第１のコンテンツデータと並列して表示される第２のコンテンツデータの表示時間帯に関する表示時間帯情報を取得し、第１のコンテンツデータの内容を示す第１の内容属性と、第２のコンテンツデータの内容を示す第２の内容属性とを比較し、第１の内容属性と第２の内容属性が一致するとき、表示時間帯情報に基づいて、表示時間帯が重複する重複時間帯を抽出し、抽出された重複時間帯に関わらず、表示装置に第１のコンテンツデータを表示し、抽出された重複時間帯において、表示装置に第２のコンテンツデータを表示し、抽出された重複時間帯以外の時間帯において、表示装置に第２のコンテンツデータを表示しないことを特徴とする。【選択図】図１
2010086280.tif 000002
【特許請求の範囲】
【請求項１】
表示装置に表示される第１のコンテンツデータの表示時間帯に関する第１の表示時間帯情報を取得する第１の表示時間帯情報取得部と、
前記表示装置に前記第１のコンテンツデータと並列して表示される第２のコンテンツデータの表示時間帯に関する第２の表示時間帯情報を取得する第２の表示時間帯情報取得部と、
前記第１のコンテンツデータの内容を示す第１の内容属性と、前記第２のコンテンツデータの内容を示す第２の内容属性とを比較する内容属性比較部と、
前記第１の内容属性と前記第２の内容属性、及び前記第１の表示時間帯情報と前記第２の表示時間帯情報に基づいて、表示時間帯が重複する重複時間帯を抽出する重複時間帯抽出部と、
前記抽出された重複時間帯に関わらず、前記表示装置に前記第１のコンテンツデータを表示し、前記抽出された重複時間帯において、前記表示装置に前記第２のコンテンツデータを表示し、前記抽出された重複時間帯以外の時間帯において、前記表示装置に前記第２のコンテンツデータを表示しない表示制御部と
を有する、情報処理装置。
【請求項２】
前記重複時間帯抽出部は、前記第１の内容属性と前記第２の内容属性が一致するとき、表示時間帯が重複する重複時間帯を抽出する、請求項１に記載の情報処理装置。
【請求項３】
前記第１のコンテンツデータは映像情報であり、前記第２のコンテンツデータは文字情報である、請求項１に記載の情報処理装置。
【請求項４】
前記第１のコンテンツデータは映像情報であり、前記第２のコンテンツデータは前記第１のコンテンツデータと異なる映像情報である、請求項１に記載の情報処理装置。
【請求項５】
前記表示制御部が、前記抽出された重複時間帯において、前記表示装置に前記第２のコンテンツデータを表示するとき、前記表示装置の画面を２以上の画面に分割して、１の分割画面に前記第１のコンテンツデータを表示し、他の分割画面に前記第２のコンテンツデータを表示する、請求項１〜４のいずれかに記載の情報処理装置。
【請求項６】
表示装置に表示される第１のコンテンツデータの表示時間帯に関する第１の表示時間帯情報を取得するステップと、
前記表示装置に前記第１のコンテンツデータと並列して表示される第２のコンテンツデータの表示時間帯に関する第２の表示時間帯情報を取得するステップと、
前記第１のコンテンツデータの内容を示す第１の内容属性と、前記第２のコンテンツデータの内容を示す第２の内容属性とを比較するステップと、
前記第１の内容属性と前記第２の内容属性が一致するとき、前記第１の表示時間帯情報と前記第２の表示時間帯情報に基づいて、表示時間帯が重複する重複時間帯を抽出するステップと、
前記抽出された重複時間帯に関わらず、前記表示装置に前記第１のコンテンツデータを表示し、前記抽出された重複時間帯において、前記表示装置に前記第２のコンテンツデータを表示し、前記抽出された重複時間帯以外の時間帯において、前記表示装置に前記第２のコンテンツデータを表示しないステップと
を有する、情報処理方法。
【請求項７】
表示装置に表示される第１のコンテンツデータの表示時間帯に関する第１の表示時間帯情報を取得する手段、
前記表示装置に前記第１のコンテンツデータと並列して表示される第２のコンテンツデータの表示時間帯に関する第２の表示時間帯情報を取得する手段、
前記第１のコンテンツデータの内容を示す第１の内容属性と、前記第２のコンテンツデータの内容を示す第２の内容属性とを比較する手段、
前記第１の内容属性と前記第２の内容属性が一致するとき、前記第１の表示時間帯情報と前記第２の表示時間帯情報に基づいて、表示時間帯が重複する重複時間帯を抽出する手段、
前記抽出された重複時間帯に関わらず、前記表示装置に前記第１のコンテンツデータを表示し、前記抽出された重複時間帯において、前記表示装置に前記第２のコンテンツデータを表示し、前記抽出された重複時間帯以外の時間帯において、前記表示装置に前記第２のコンテンツデータを表示しない手段
としてコンピュータを機能させるためのプログラム。
【発明の詳細な説明】
【技術分野】
【０００１】
本発明は、情報処理装置、情報処理方法及びプログラムに関する。
【背景技術】
【０００２】
例えばデジタルサイネージ（digital  signage）等と呼ばれているシステムは、公共施設や店舗などの商業施設などに設置された液晶ディスプレイなどの表示装置に、映像や文字情報等のコンテンツを表示する。デジタルサイネージによる表示装置は、例えば、広告や緊急情報等を表示する。表示装置の表示に用いられるコンテンツデータは、表示装置毎にメモリカードを介して記録されてもよいし、ネットワークを経由して表示装置と接続された管理サーバから配信されてもよい。
【０００３】
表示装置に表示されるコンテンツのうち文字情報は、静止画や動画などの映像情報と同時にテロップとして、表示装置の画面の一部に表示される場合がある。特許文献１には、テレビ放送などにおける映像画面に文字等をスーパーインポーズする際、テロップ文に設定されたテロップの開始時間と終了時間を読み出して、テロップの表示タイミングを制御する技術が開示されている。
【０００４】
【特許文献１】特開平１１−２３４５６４号公報
【発明の開示】
【発明が解決しようとする課題】
【０００５】
ところで、通常、映像情報の編成と文字情報の編成は別々に行われ、映像情報のタイムテーブル（表示時間一覧）と文字情報のタイムテーブルは別々に作成されていた。そして、映像情報と文字情報の競合（生じてはいけない組み合わせ）が存在しているかどうかの確認は、ユーザが手作業で行っていた。そのため、手作業による確認ミスなどによって、競合が生じているにもかかわらず、競合関係にある映像情報と文字情報を同時に表示してしまうおそれがあった。
【０００６】
また、デジタルサイネージでは、特に、映像情報のタイムテーブルの枠が細かい時間で区切られているため、映像情報のそれぞれの時間帯に合わせて、文字情報を編成することは、非常に手間がかかるという問題があった。更に、特許文献１の技術を使用したとしても、文字情報の表示タイミングを設定できるに過ぎない。そのため、競合関係にある映像情報と文字情報が同時に表示されないようにするためには、依然として細かい時間で区切られた時間帯の設定が必要であるという問題があった。
【０００７】
そこで、本発明は、上記問題に鑑みてなされたものであり、本発明の目的とするところは、並列して同時に表示できる異なるコンテンツデータを迅速かつ簡潔に選択することが可能な、新規かつ改良された情報処理装置、情報処理方法及びプログラムを提供することにある。
【課題を解決するための手段】
【０００８】
上記課題を解決するために、本発明のある観点によれば、表示装置に表示される第１のコンテンツデータの表示時間帯に関する第１の表示時間帯情報を取得する第１の表示時間帯情報取得部と、表示装置に第１のコンテンツデータと並列して表示される第２のコンテンツデータの表示時間帯に関する第２の表示時間帯情報を取得する第２の表示時間帯情報取得部と、第１のコンテンツデータの内容を示す第１の内容属性と、第２のコンテンツデータの内容を示す第２の内容属性とを比較する内容属性比較部と、第１の内容属性と第２の内容属性、及び第１の表示時間帯情報と第２の表示時間帯情報に基づいて、表示時間帯が重複する重複時間帯を抽出する重複時間帯抽出部と、抽出された重複時間帯に関わらず、表示装置に第１のコンテンツデータを表示し、抽出された重複時間帯において、表示装置に第２のコンテンツデータを表示し、抽出された重複時間帯以外の時間帯において、表示装置に第２のコンテンツデータを表示しない表示制御部とを有する情報処理装置が提供される。
【０００９】
上記重複時間帯抽出部は、第１の内容属性と第２の内容属性が一致するとき、表示時間帯が重複する重複時間帯を抽出してもよい。
【００１０】
上記第１のコンテンツデータは映像情報であり、第２のコンテンツデータは文字情報であってもよい。上記第１のコンテンツデータは映像情報であり、第２のコンテンツデータは第１のコンテンツデータと異なる映像情報であってもよい。
【００１１】
上記表示制御部が、抽出された重複時間帯において、表示装置に第２のコンテンツデータを表示するとき、表示装置の画面を２以上の画面に分割して、１の分割画面に第１のコンテンツデータを表示し、他の分割画面に第２のコンテンツデータを表示してもよい。
【００１２】
また、上記課題を解決するために、本発明の別の観点によれば、表示装置に表示される第１のコンテンツデータの表示時間帯に関する第１の表示時間帯情報を取得するステップと、表示装置に第１のコンテンツデータと並列して表示される第２のコンテンツデータの表示時間帯に関する第２の表示時間帯情報を取得するステップと、第１のコンテンツデータの内容を示す第１の内容属性と、第２のコンテンツデータの内容を示す第２の内容属性とを比較するステップと、第１の内容属性と第２の内容属性が一致するとき、第１の表示時間帯情報と第２の表示時間帯情報に基づいて、表示時間帯が重複する重複時間帯を抽出するステップと、抽出された重複時間帯に関わらず、表示装置に第１のコンテンツデータを表示し、抽出された重複時間帯において、表示装置に第２のコンテンツデータを表示し、抽出された重複時間帯以外の時間帯において、表示装置に第２のコンテンツデータを表示しないステップとを有する情報処理方法が提供される。
【００１３】
また、上記課題を解決するために、本発明の別の観点によれば、表示装置に表示される第１のコンテンツデータの表示時間帯に関する第１の表示時間帯情報を取得する手段、表示装置に第１のコンテンツデータと並列して表示される第２のコンテンツデータの表示時間帯に関する第２の表示時間帯情報を取得する手段、第１のコンテンツデータの内容を示す第１の内容属性と、第２のコンテンツデータの内容を示す第２の内容属性とを比較する手段、第１の内容属性と第２の内容属性が一致するとき、第１の表示時間帯情報と第２の表示時間帯情報に基づいて、表示時間帯が重複する重複時間帯を抽出する手段、抽出された重複時間帯に関わらず、表示装置に第１のコンテンツデータを表示し、抽出された重複時間帯において、表示装置に第２のコンテンツデータを表示し、抽出された重複時間帯以外の時間帯において、表示装置に第２のコンテンツデータを表示しない手段としてコンピュータを機能させるためのプログラムが提供される。
【発明の効果】
【００１４】
本発明によれば、並列して同時に表示できる異なるコンテンツデータを迅速かつ簡潔に選択することができる。
【発明を実施するための最良の形態】
【００１５】
以下に添付図面を参照しながら、本発明の好適な実施の形態について詳細に説明する。なお、本明細書及び図面において、実質的に同一の機能構成を有する構成要素については、同一の符号を付することにより重複説明を省略する。なお、説明は、以下の順序で行う。
１．第１の実施形態
［デジタルサイネージ提供システムの概要］
［デジタルサイネージ提供システムの構成］
［タイムテーブルについて］
［タイムテーブルの編成とコンテンツデータの表示］
［文字情報の表示方法］
【００１６】
＜１．第１の実施形態＞
［デジタルサイネージ提供システムの概要］
まず、本発明の第１の実施形態に係るデジタルサイネージ提供システムについて説明する。
デジタルサイネージ提供システムは、公共施設や店舗などの商業施設などに設置された液晶ディスプレイなどの表示装置４００に、映像や文字情報等のコンテンツを表示する。例えば、図９に示すように、表示装置４００は、１種類の映像情報４２０Ａを画面に表示する。また、図１０に示すように、画面を２分割して、２種類の映像情報４２０Ａ，４２０Ｂを１つの画面に表示してもよい。また、図９及び図１０に示すように、表示装置４００は、文字情報をテロップ４２０Ｔとして表示する。図９及び図１０は、本実施形態に係る表示装置４００の画面の一例を示す説明図である。
【００１７】
本実施形態に係るデジタルサイネージ提供システムは、映像情報のタイムテーブルに従った映像情報の表示、文字情報のタイムテーブルに従った文字情報の表示が可能である。本実施形態のタイムテーブルとは、将来、所定の表示装置４００において表示する複数のコンテンツデータの表示順、表示開始時間などが規定されたスケジュール情報である。ここで、コンテンツデータは、例えば、広告、イベント告知、配信番組などの映像情報や文字情報である。
【００１８】
［デジタルサイネージ提供システムの構成］
次に、本実施形態に係るデジタルサイネージ提供システムの構成について説明する。図１は、本実施形態に係るデジタルサイネージ提供システムの構成を示す説明図である。
【００１９】
デジタルサイネージ提供システムは、例えば、ネットワーク１０に接続された管理サーバ１００と、ネットワーク１０に接続された１又は複数の拠点サーバ２００と、拠点サーバ２００に接続された再生制御装置３００、表示装置４００などからなる。
【００２０】
管理サーバ１００は、ネットワーク１０と接続されており、例えば広告、告知、配信番組などの映像情報や文字情報を蓄積したり、配信したりする。拠点サーバ２００は、ネットワーク１０と接続されており、例えば、管理サーバ１００から映像情報や文字情報を受信し、再生制御装置３００へ送信する。再生制御装置３００は、拠点サーバ２００から映像情報や文字情報を受信し、表示装置４００の表示制御をする。表示装置４００は、再生制御装置３００から受けた信号やコンテンツデータに基づいて、映像や文字を画面に表示する。なお、表示装置４００は、図１の表示装置４００−１に示すように複数の表示パネルを１つのセットとして表示を行う表示装置でもよい。
【００２１】
ネットワーク１０は、例えば、インターネットプロトコル（ＩＰ）技術を利用してコンピュータ・ネットワークが相互接続された広範囲又はローカルに構成されたＩＰネットワークなどである。管理サーバ１００や拠点サーバ２００は、ルータを介してネットワーク１０と接続される。また、ルータは、異なるコンピュータ・ネットワーク間を接続、又は中継（経路制御）する。
【００２２】
次に、管理サーバ１００、拠点サーバ２００、再生制御装置３００及び表示装置４００について詳細に説明する。まず、図２を参照して、本実施形態に係る管理サーバ１００について説明する。図２は、本実施形態に係る管理サーバ１００を示すブロック図である。
【００２３】
管理サーバ１００は、例えば、ＣＰＵ１０２と、メモリ１０４と、入出力Ｉ／Ｆ１０６と、表示部１０８と、記録部１１０と、ネットワーク接続部１２０などからなる。管理サーバ１００は、コンテンツデータを複数の拠点サーバ２００に配信する。また、管理サーバ１００は、タイムテーブルを生成して、タイムテーブルを拠点サーバ２００に送信する。
【００２４】
ＣＰＵ（Central  Processing  Unit）１０２は、プログラムによって演算処理装置及び制御装置として機能し、管理サーバ１００内に設けられた各構成要素の処理を制御することができる。メモリ１０４は、例えば、ＲＡＭ（Random  Access  Memory）、ＲＯＭ（Read  Only  Memory）、キャッシュメモリなどの記憶部で構成されている。メモリ１０４は、ＣＰＵ１０２の処理に関するデータ、ＣＰＵ１０２の動作プログラムなどを一時的に記憶する機能を有する。
【００２５】
入出力Ｉ／Ｆ（インターフェース）１０６は、例えば、マウス、キーボード、タッチパネル、ボタン、スイッチ、レバーなどの操作部と、入力信号を生成しＣＰＵ１０２に出力する入力制御部等から構成される。例えば、管理サーバ１００の管理者は、入出力Ｉ／Ｆ１０６の操作部を操作することによって、管理サーバ１００にデータを入力したり処理動作を指示したりすることができる。
【００２６】
表示部１０８は、例えば、液晶ディスプレイ（ＬＣＤ）装置、有機ＥＬディスプレイ装置などの映像信号を表示する表示装置と、スピーカなどの音声信号を出力する音声出力装置などからなる。例えば、管理サーバ１００の管理者は、入出力Ｉ／Ｆ１０６で行った操作の結果などを、表示部１０８を介して確認することができる。
【００２７】
記録部１１０は、例えば、ＨＤＤ（ハードディスクドライブ）、フラッシュメモリなどで構成されており、データを長期に亘って格納するための記録装置である。記録部１１０は、例えば広告、イベント告知、配信番組などの映像情報や文字情報を含むコンテンツデータを保持する。
【００２８】
ネットワーク接続部１２０は、例えば、通信回線、通信回路、通信デバイスなどで構成されている。ネットワーク接続部１２０は、管理サーバ１００と拠点サーバ２００との間で、コンピュータ・ネットワークを介してデータを送受信することができる。
【００２９】
また、ＣＰＵ１０２は、第１の表示時間帯情報取得部と、第２の表示時間帯情報取得部と、内容属性比較部と、重複時間帯抽出部と、表示制御部とを有する。第１の表示時間帯情報取得部は、表示装置４００に表示される第１のコンテンツデータの表示時間帯に関する第１の表示時間帯情報を取得する。第２の表示時間帯情報取得部は、表示装置４００に第１のコンテンツデータと並列して表示される第２のコンテンツデータの表示時間帯に関する第２の表示時間帯情報を取得する。
【００３０】
また、内容属性比較部は、第１のコンテンツデータの内容を示す第１の内容属性と、第２のコンテンツデータの内容を示す第２の内容属性とを比較する。重複時間帯抽出部は、第１の内容属性と第２の内容属性が一致するとき、第１の表示時間帯情報と第２の表示時間帯情報に基づいて、表示時間帯が重複する重複時間帯を抽出する。表示制御部は、抽出された重複時間帯に関わらず、表示装置に第１のコンテンツデータを表示する。また、表示制御部は、抽出された重複時間帯において、表示装置に第２のコンテンツデータを表示し、抽出された重複時間帯以外の時間帯において、表示装置に第２のコンテンツデータを表示しない。
【００３１】
次に、図３を参照して、本実施形態に係る拠点サーバ２００について説明する。図３は、本実施形態に係る拠点サーバ２００を示すブロック図である。
【００３２】
拠点サーバ２００は、例えば、ＣＰＵ２０２と、メモリ２０４と、入出力Ｉ／Ｆ２０６と、表示部２０８と、記録部２１０と、ネットワーク接続部２２０、通信Ｉ／Ｆ２３０などからなる。拠点サーバ２００は、管理サーバ１００からコンテンツデータを受けて、１又は複数の再生制御装置３００にコンテンツデータを送信する。また、拠点サーバ２００は、管理サーバ１００からタイムテーブルを受けて、１又は複数の再生制御装置３００にタイムテーブルを送信する。
【００３３】
拠点サーバ２００におけるＣＰＵ２０２、メモリ２０４、入出力Ｉ／Ｆ２０６、表示部２０８、記録部２１０及びネットワーク接続部２２０はそれぞれ、管理サーバ１００におけるＣＰＵ１０２、メモリ１０４、入出力Ｉ／Ｆ１０６、表示部１０８、記録部１１０及びネットワーク接続部１２０と同様であるため、詳細な説明は省略する。
【００３４】
通信Ｉ／Ｆ２３０は、例えば、通信回線、通信回路、通信デバイスなどで構成されている。通信Ｉ／Ｆ２３０は、拠点サーバ２００と再生制御装置３００の間で、コンテンツデータ、タイムテーブル等を送受信することができる。
【００３５】
次に、図４を参照して、本実施形態に係る再生制御装置３００について説明する。図４は、本実施形態に係る再生制御装置３００を示すブロック図である。
【００３６】
再生制御装置３００は、例えば、ＣＰＵ３０２と、メモリ３０４と、入出力Ｉ／Ｆ３０６と、記録部３１０と、表示制御部３２０と、通信Ｉ／Ｆ３３０などからなる。再生制御装置３００は、拠点サーバ２００からコンテンツデータを受けて、表示装置４００にコンテンツデータに関する表示用データを送信する。また、再生制御装置３００は、拠点サーバ２００からタイムテーブルを受け、そのタイムテーブルに基づいて、コンテンツデータを表示装置４００に表示する。
再生制御装置３００におけるＣＰＵ３０２及びメモリ３０４は、管理サーバ１００のＣＰＵ１０２及びメモリ１０４と同様であるため、詳細な説明は省略する。
【００３７】
入出力Ｉ／Ｆ３０６は、例えば、マウス、キーボード、タッチパネル、ボタン、スイッチ、レバーなどの操作部と、入力信号を生成しＣＰＵ１０２に出力する入力制御部等から構成される。例えば、管理サーバ１００の管理者は、入出力Ｉ／Ｆ１０６の操作部を操作することによって、管理サーバ１００にデータを入力したり処理動作を指示したりすることができる。また、入出力Ｉ／Ｆ３０６は、表示装置４００と接続され、コンテンツデータの表示用データが入出力Ｉ／Ｆ３０６を介して表示装置４００に送られる。
【００３８】
記録部３１０は、例えば、ＨＤＤ（ハードディスクドライブ）、フラッシュメモリなどで構成されており、データを長期に亘って格納するための記録装置である。記録部３１０は、管理サーバ１００から配信され、拠点サーバ２００を介して受けたコンテンツデータを保持する。
【００３９】
表示制御部３２０は、記録部３１０に記録されたコンテンツデータが表示装置４００で表示できるように表示装置４００を制御する。
通信Ｉ／Ｆ３３０は、例えば、通信回線、通信回路、通信デバイスなどで構成されている。通信Ｉ／Ｆ２３０は、拠点サーバ２００と再生制御装置３００の間で、コンテンツデータ等を送受信することができる。
【００４０】
次に、図５を参照して、本実施形態に係る表示装置４００について説明する。図５は、本実施形態に係る表示装置４００を示すブロック図である。
【００４１】
表示装置４００は、液晶ディスプレイ、有機ＥＬディスプレイなどであり、例えば、制御部４０２と、メモリ４０４と、入出力Ｉ／Ｆ４０６と、表示パネル４２０などからなる。表示装置４００は、再生制御装置３００からコンテンツデータに関する表示用データを受けて、表示パネル４２０に映像や文字を表示する。
【００４２】
制御部４０２は、表示用データを表示パネル４２０に表示する制御をする。メモリ４０４は、例えば、ＲＡＭ（Random  Access  Memory）、ＲＯＭ（Read  Only  Memory）、キャッシュメモリなどの記憶部で構成されている。メモリ４０４は、制御部４０２の処理に関するデータ、制御部４０２の動作プログラムなどを一時的に記憶する機能を有する。
【００４３】
入出力Ｉ／Ｆ４０６は、再生制御装置３００と接続され、入出力Ｉ／Ｆ４０６を介してコンテンツデータの表示用データを再生制御装置３００から受ける。表示パネル４２０は、複数の画素が配列され、それぞれの画素が表示用データに応じて、明滅したり、輝度レベルが変化したりする。その結果、表示パネル４２０に映像や文字が表示される。
【００４４】
［タイムテーブルについて］
次に、本実施形態に係るデジタルサイネージ提供システムが生成するタイムテーブルについて説明する。図６は、タイムテーブル、タイムテーブルを構成するプログラム、プログラムを構成するコンテンツケースの関係を示す説明図である。
【００４５】
図１に示した拠点サーバ２００は、例えば表示装置４００における表示を管理する単位で設置される。例えば、拠点サーバ２００は、公共施設又は商業施設などの施設毎の単位、又は企業、自治体などの団体毎の単位で設置される。１つの拠点サーバ２００には、その拠点サーバ２００に接続された１又は複数の再生制御装置３００及び表示装置４００が設けられる。これにより、複数の表示装置４００を１グループとして制御可能になる。
【００４６】
本実施形態では、例えば再生制御装置３００単位で１つのチャンネルが設定される。１つのチャンネルには、１つのタイムテーブルが設定される。即ち、１つの拠点サーバ２００に、１又は複数のチャンネルを設定することができる。例えば、拠点サーバ２００が商業施設に設置され、売り場毎に再生制御装置３００が設けられる場合、売り場毎に異なるチャンネルを設定できる。その結果、売り場毎に異なるタイムテーブルでコンテンツデータを表示できる。
【００４７】
３つのチャンネルを設けたい場合は、１つの拠点サーバ２００と３つの再生制御装置３００を設ければよい。なお、１つの再生制御装置３００に複数の表示装置４００が接続される場合、その複数の表示装置４００は全て同一のチャンネルとなる。その結果、同一チャンネル内の複数の表示装置４００の表示内容及び表示タイミングは、全て同じになる。
【００４８】
タイムテーブルは、チャンネル毎に設定される。タイムテーブルは、１日（２４時間）単位でもよいし、２４時間以下又は２４時間以上の単位でもよい。タイムテーブルには、図６に示すように、時系列順に複数のプログラムが配列される。タイムテーブル上では、個々のプログラムの中で複数の割付枠が時系列順に配列され、更に個々の割付枠の中で複数のコンテンツケースが時系列順に配列される。タイムテーブルでは、どのコンテンツケースがどの時間帯に表示されるかが指定されている。コンテンツケースは、動画、静止画などの映像情報でもよいし、文字や記号などの文字情報でもよい。
【００４９】
割付枠には、例えば、広告枠、ロケーションオーナー（ＬＯ）枠、配信番組枠などがある。ここで、広告枠とは、広告コンテンツが表示される時間帯である。広告コンテンツは、例えば商品又はサービスの宣伝等であり、広告主によって提供される。ＬＯ枠とは、ＬＯコンテンツが表示される時間帯である。ＬＯコンテンツは、例えば表示装置４００が設置された場所（例えば、公共施設、商業施設など）や設置者（企業などの団体）の情報（例えばイベントの告知）であり、表示装置４００の設置者によって提供される。配信番組枠とは、配信番組コンテンツが表示される時間帯である。配信番組コンテンツは、例えば天気予報、ニュース等の情報であり、例えばデジタルサイネージ提供システムのサービス提供者によって提供される。
【００５０】
管理サーバ１００は、各プログラムの開始時間、終了時間や、各プログラムの長さなどを変更したり、プログラムの順番を入れ替えたりして、タイムテーブルを生成する。また、管理サーバ１００は、タイムテーブルを生成する際、１つのプログラム内の各割付枠の開始時間、終了時間や、各割付枠の長さなどを変更したり、割付枠の順番を入れ替えたりすることもできる。
【００５１】
タイムテーブルデータは、複数のプログラムに関する情報（プログラム情報）から構成される。個々のプログラム情報は、複数の割付枠に関する情報（割付枠情報）から構成される。更に、個々の割付枠情報は、複数のコンテンツケースに関する情報（コンテンツケース情報）から構成される。
【００５２】
プログラム情報は、プログラム名、個々のプログラムを特定するためのＩＤ（識別情報）、開始時間、終了時間、長さに関する情報を有する。割付枠情報は、割付枠の種別（広告枠、ＬＯ枠、配信番組枠）、開始時間、終了時間、長さに関する情報を有する。コンテンツケース情報は、コンテンツケースの種別（広告コンテンツ、ＬＯコンテンツ、配信番組コンテンツ）、コンテンツケース名、個々のコンテンツケースを特定するためのＩＤ（識別情報）、開始時間、終了時間、長さに関する情報を有する。なお、割付枠情報は、第１の表示時間帯情報、第２の表示時間帯情報の一例である。また、割付枠の種別は、内容属性の一例である。
【００５３】
［タイムテーブルの編成とコンテンツデータの表示］
次に、本実施形態のタイムテーブルの編成とコンテンツデータの表示について説明する。まず、１つの表示装置４００の画面内で、映像情報（第１のコンテンツデータ）と文字情報（第２のコンテンツデータ）を並列して表示する場合について説明する。以下では、図９のように、１種類の映像情報４２０Ａと、１種類の文字情報４２０Ｔが表示される場合（実施例１）について説明する。このとき、図７に示すように、映像情報（動画・静止画）のタイムテーブルと、文字情報（テロップ）のタイムテーブルの２つのタイムテーブルが編成される。図７は、映像情報及び文字情報のタイムテーブルと、文字情報の表示・非表示制御の関係を示す説明図である。
【００５４】
映像情報のタイムテーブル（図７の例では、動画・静止画編成１）には、複数の割付枠が配置されている。映像情報４２０Ａは、映像情報のタイムテーブルに従って、表示装置４００の画面に表示される。一方、文字情報のタイムテーブル（図７の例では、テロップ編成）にも、複数の割付枠が配置されている。文字情報４２０Ｔは、映像情報の割付枠種別と一致するとき、文字情報のタイムテーブルに従って、表示装置４００の画面に表示される。
【００５５】
映像情報のタイムテーブルにおける割付枠も、文字情報における割付枠も、いずれも割付枠の種別に関する情報を有している。例えば、映像情報の割付枠が配信番組枠であれば、動画又は静止画からなる配信番組コンテンツが割り付けられる。また、文字情報の割付枠が配信番組枠であれば、文字からなる配信番組が割り付けられる。
【００５６】
ある割付枠種別を有する文字情報の割付枠が、文字情報のタイムテーブルに配置されることで、ある時間帯にその割付枠種別を有する文字情報を表示することができる。即ち、文字情報のタイムテーブルによれば、配信番組枠の文字情報は、何時何分から何時何分までの時間帯で表示すること、そして、広告枠の文字情報は、配信番組枠と異なる、何時何分から何時何分までの時間帯で表示すること、という指定が可能である。
【００５７】
本実施形態の管理サーバ１００は、映像情報のタイムテーブルと、文字情報のタイムテーブルそれぞれから、割付枠情報の割付枠種別を取得して、相互の割付枠種別が一致するか否かを比較する。そして、割付枠種別が一致すると判断されたとき、映像情報の割付枠情報と文字情報の割付枠情報に基づいて、表示時間帯が重複する重複時間帯が抽出される。
【００５８】
そして、抽出された重複時間帯において、表示装置４００に文字情報のコンテンツデータを表示し、抽出された重複時間帯以外の時間帯において、表示装置４００に文字情報のコンテンツデータを表示しない。一方、抽出された重複時間帯に関わらず、表示装置４００は映像情報のコンテンツデータを表示する。図７に示す例では、動画・静止画編成１における配信番組枠と、テロップ編成における配信番組枠が一致するとき、表示装置４００にテロップが表示される。また、動画・静止画編成１における広告枠と、テロップ編成における広告枠が一致するとき、表示装置４００にテロップが表示される。それ以外の時間帯では、テロップは表示されない。
【００５９】
以上の実施例１では、映像情報の表示時間帯と、文字情報の表示時間帯が重複し、かつ、映像情報の割付枠種別（枠権限）と、文字情報の割付枠種別（枠権限）とが一致するとき、重複する時間帯でのみ文字情報がテロップとして表示される。その結果、例えば、映像情報が配信番組であるとき、文字情報が広告枠であるという競合状態で、文字情報が表示されることはない。映像情報と文字情報の競合（生じてはいけない組み合わせ）が生じているにもかかわらず、競合関係にある映像情報と文字情報が同時に表示されるという可能性はなくなる。
【００６０】
次に、図１０のように、２種類の映像情報、即ち映像情報４２０Ａ（第１のコンテンツデータ）、映像情報４２０Ｂ（第２のコンテンツデータ）と、１種類の文字情報４２０Ｔ（第２のコンテンツデータ）が表示される場合（実施例２）について説明する。このとき、図８に示すように、映像情報（動画・静止画）のタイムテーブルと、文字情報（テロップ）のタイムテーブルの３つのタイムテーブルが編成される。図８は、２種類の映像情報及び文字情報のタイムテーブルと、映像情報の１画面・２画面表示制御、文字情報の表示・非表示制御の関係を示す説明図である。
【００６１】
映像情報のタイムテーブル（図８の例では、動画・静止画編成１、動画・静止画編成２）には、複数の割付枠が配置されている。映像情報４２０Ａは、動画・静止画編成１のタイムテーブルに従って、表示装置４００の画面に表示される。映像情報４２０Ｂは、動画・静止画編成２のタイムテーブルに従って、表示装置４００の画面に表示される。但し、映像情報４２０Ｂは、映像情報Ａの割付枠種別と一致するとき、動画・静止画編成２のタイムテーブルに従って、表示装置４００の画面に表示される。一方、文字情報のタイムテーブル（図７の例では、テロップ編成）にも、複数の割付枠が配置されている。文字情報４２０Ｔは、映像情報の割付枠種別と一致するとき、テロップ編成のタイムテーブルに従って、表示装置４００の画面に表示される。
【００６２】
本実施形態の管理サーバ１００は、動画・静止画編成１のタイムテーブルと、動画・静止画編成２のタイムテーブル又はテロップ編成のタイムテーブルそれぞれから、割付枠情報の割付枠種別を取得して、相互の割付枠種別が一致するか否かを比較する。そして、割付枠種別が一致すると判断されたとき、動画・静止画編成１の割付枠情報と、動画・静止画編成２又はテロップ編成の割付枠情報に基づいて、表示時間帯が重複する重複時間帯が抽出される。
【００６３】
そして、動画・静止画編成１の割付枠情報と動画・静止画編成２の割付枠情報の表示時間帯と割付枠種別が重複するとき、抽出された重複時間帯において、表示装置４００の画面は２分割されて、２つの映像情報のコンテンツデータを表示する。一方、抽出された重複時間帯以外の時間帯においては、表示装置４００の画面は、２分割表示による映像表示はされない。
【００６４】
動画・静止画編成１の割付枠情報とテロップ編成の割付枠情報の表示時間帯と割付枠種別が重複するとき、抽出された重複時間帯において、表示装置４００の画面には映像情報のコンテンツデータと文字情報のコンテンツデータを表示する。一方、抽出された重複時間帯以外の時間帯においては、文字情報のコンテンツデータを表示しない。なお、抽出された重複時間帯に関わらず、表示装置４００は映像情報Ａのコンテンツデータを常に表示する。
【００６５】
図８に示す例では、動画・静止画編成１におけるＬＯ枠と、動画・静止画編成２におけるＬＯ枠が一致するとき、表示装置４００の画面は２分割表示による２つの映像表示がされる。それ以外の時間帯では、１つの映像表示のみがされる。また、動画・静止画編成１におけるＬＯ枠と、テロップ編成におけるＬＯ枠が一致するとき、表示装置４００にテロップが表示される。それ以外の時間帯では、テロップは表示されない。
【００６６】
以上の実施例２では、２種類の映像情報のそれぞれの表示時間帯が重複し、かつ、２種類の映像情報のそれぞれの割付枠種別（枠権限）が一致するとき、重複する時間帯でのみが面が２分割されて２種類の映像が並列して表示される。その結果、例えば、一方の映像情報が配信番組であるとき、他方の映像情報が広告枠であるという競合状態で、他方の映像情報が表示されることはない。２種類の映像情報の競合（生じてはいけない組み合わせ）が生じているにもかかわらず、競合関係にある２種類の映像情報が同時に表示されるという可能性はなくなる。
【００６７】
［文字情報の表示方法］
次に、表示装置４００の画面に表示される文字情報（テロップ）の表示方法について説明する。図１１及び図１２は、本実施形態に係る表示装置４００の画面の一例を示す説明図である。
【００６８】
映像情報４２０Ａと文字情報４２０Ｔは、図１１（Ａ）に示すように、画面を２分割して、それぞれ独立に表示されてもよい。これにより、文字情報４２０Ｔの視認性を向上させることができる。なお、文字情報Ｔは、図１１（Ｂ）に示すように、表示パネル４２０に表示された映像情報に重畳して表示してもよい（オーバーレイ表示）。この場合、映像情報の一部分が文字情報Ｔによって隠れるため、視聴者が見ることのできない部分が発生する。
【００６９】
また、文字情報４２０Ｔが表示されるとき、映像情報４２０Ａは、図１２に示すように、画面の縦横比を維持したまま、縮小表示がされるとしてもよい。図１１（Ａ）に示すように、画面を２分割した場合、映像情報４２０Ａの縦横比と、表示装置４００の画面の縦横比が一致しない。そのため、画面を２分割したときの映像情報４２０Ａは縦又は横に引き伸ばされたり、一部分が隠されたりする可能性があった。一方、図１２の表示方法によれば、映像情報４２０Ａの正確な縦横比を維持しながら、全ての映像を表示することができる。なお、図１２の４２０Ｃには、背景画が表示される。
【００７０】
以上、本実施形態によれば、映像情報と文字情報の競合（生じてはいけない組み合わせ）が存在しているかどうかの確認は、ユーザが手作業で行う必要がない。そのため、手作業による確認ミスなどによって、競合が生じているにもかかわらず、競合関係にある映像情報と文字情報を同時に表示してしまう可能性をなくすことができる。
【００７１】
また、デジタルサイネージで、特に、映像情報のタイムテーブルの枠が細かい時間で区切られている場合でも、割付枠情報におおよその時間帯情報が設定されていれば、確実に競合関係を排除することができる。その結果、タイムテーブルの編成にかかる時間を大幅に低減することができる。
【００７２】
更に、本実施形態は、特許文献１の時刻情報による表示制御だけでなく、コンテンツデータの割付枠情報（割付枠種別）に基づいた表示制御を行う。そのため、割付枠種別（枠権限）が、映像情報と同一の文字情報（又は他の映像情報）のみが、その時間帯に表示可能とすることができる。従って、割付枠種別（枠権限）が相互に異なる映像情報と文字情報（又は他の映像情報）が同時に表示されるという権限侵害を容易に回避することができる。
【００７３】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００７４】
例えば、上記実施形態では、映像情報（動画・静止画）のタイムテーブルが１つ又は２つであり、文字情報（テロップ）のタイムテーブルが１つである場合について説明したが、本発明はかかる例に限定されない。例えば、映像情報のタイムテーブルは３つ以上であってもよいし、文字情報のタイムテーブルは２つ以上であってもよい。これにより、映像情報や文字情報のさまざまな複数同時並列表示が可能となる。
【００７５】
また、上記実施形態では、２つのコンテンツデータの割付枠情報（内容属性）が一致するとき、例えば映像情報の広告枠と文字情報の広告枠が一致するとき、文字情報（第２のコンテンツデータ）を表示するとしたが、本発明はかかる例に限定されない。例えば、第１のコンテンツデータの内容属性と第２のコンテンツデータの内容属性の組合せに応じて、第２のコンテンツデータの表示又は非表示を変更できるとしてもよい。例えば、映像情報が広告枠であるとき、文字情報が広告枠又はＬＯ枠であれば、文字情報が表示され、文字情報が配信番組枠の場合のみ文字情報が表示されないとしてもよい。
【００７６】
また、上記実施形態では、割付枠がタイムテーブルに設定される場合について説明したが、本発明はかかる例に限定されない。例えば、タイムテーブルに割付枠を介さずにコンテンツケースが配置される場合でも本発明を適用することができる。この場合、例えば映像情報のコンテンツケースの種別と、文字情報のコンテンツケースの種別とが比較され、種別が一致するときに、文字情報が表示されるとしてもよい。また、画面の分割数についても、画面を２分割する他、２以上の画面に分割するようにしても良い。
【図面の簡単な説明】
【００７７】
【図１】本発明の第１の実施形態に係るデジタルサイネージ提供システムの構成を示す説明図である。
【図２】同実施形態に係る管理サーバを示すブロック図である。
【図３】同実施形態に係る拠点サーバを示すブロック図である。
【図４】同実施形態に係る再生制御装置を示すブロック図である。
【図５】同実施形態に係る表示装置を示すブロック図である。
【図６】タイムテーブル、タイムテーブルを構成するプログラム、プログラムを構成するコンテンツケースの関係を示す説明図である。
【図７】映像情報及び文字情報のタイムテーブルと、文字情報の表示・非表示制御の関係を示す説明図である。
【図８】２種類の映像情報及び文字情報のタイムテーブルと、映像情報の１画面・２画面表示制御、文字情報の表示・非表示制御の関係を示す説明図である。
【図９】同実施形態に係る表示装置の画面の一例を示す説明図である。
【図１０】同実施形態に係る表示装置の画面の一例を示す説明図である。
【図１１】同実施形態に係る表示装置の画面の一例を示す説明図である。
【図１２】同実施形態に係る表示装置の画面の一例を示す説明図である。
【符号の説明】
【００７８】
１０ネットワーク
１００      管理サーバ
２００      拠点サーバ
３００      再生制御装置
４００      表示装置
１０２、２０２、３０２      ＣＰＵ
１０４、２０４、３０４      メモリ
１０６、２０６、３０６      入出力Ｉ／Ｆ
１０８、２０８      表示部
１１０、２１０、３１０      記録部
１２０、２２０      ネットワーク接続部
２３０、３３０      通信Ｉ／Ｆ
３２０      表示制御部
４０２      制御部
４０４      メモリ
４０６      入出力Ｉ／Ｆ
４２０      表示パネル
【図１】
2010086280.tif 000003
【図２】
2010086280.tif 000004
【図３】
2010086280.tif 000005
【図４】
2010086280.tif 000006
【図５】
2010086280.tif 000007
【図６】
2010086280.tif 000008
【図７】
2010086280.tif 000009
【図８】
2010086280.tif 000010
【図９】
2010086280.tif 000011
【図１０】
2010086280.tif 000012
【図１１】
2010086280.tif 000013
【図１２】
2010086280.tif 000014